(57)【要約】【課題】極力機器の省エネ性を確保できるスケジュール提供装置及びスケジュール提供システムを提供する。【解決手段】空調機１０の制御を行うコントローラ４０に空調機１０を運転させるための省エネスケジュールを提供する遠隔監視装置７１であって、記憶部と、送信部とを備える。記憶部は、省エネ度合いの異なる複数の省エネスケジュールを記憶する。送信部は、省エネスケジュールをコントローラ４０に送信する。コントローラ４０から要求があった場合、又は、所定条件を満たすと判定した場合に、送信部は、先に送信した省エネスケジュールである第１省エネスケジュールとは別の省エネスケジュールである第２省エネスケジュールを、コントローラ４０に送信する。【選択図】図１
2011242045.tif 000002
【特許請求の範囲】
【請求項１】
機器（１０）の制御を行う機器制御装置（４０）に前記機器（１０）を運転させるための省エネスケジュールを提供するスケジュール提供装置（７１）であって、
省エネ度合いの異なる複数の前記省エネスケジュールを記憶する記憶部（７３）と、
前記省エネスケジュールを前記機器制御装置（４０）に送信する送信部（７６ｂ）と、
を備え、
前記機器制御装置（４０）から要求があった場合、又は、所定条件を満たすと判定した場合に、前記送信部（７６ｂ）は、先に送信した前記省エネスケジュールである第１省エネスケジュールとは別の前記省エネスケジュールである第２省エネスケジュールを、前記機器制御装置（４０）に送信する、
スケジュール提供装置（７１）。
【請求項２】
前記機器制御装置（４０）のリソースを把握するリソース把握部（７６ｆ）をさらに備え、
前記送信部（７６ｂ）は、前記リソース把握部（７６ｆ）によって把握された前記リソースに応じた数の前記省エネスケジュールを前記機器制御装置（４０）に送信する、
請求項１に記載のスケジュール提供装置（７１）。
【請求項３】
前記リソース把握部（７６ｆ）によって把握された前記リソースが複数の前記省エネスケジュールを保持できる程度にあるか否かを判定する判定部（７６ｇ）をさらに備え、
前記判定部が前記リソースが複数の前記省エネスケジュールを保持できる程度にないと判定する場合、前記送信部（７６ｂ）は、複数の前記省エネスケジュールのうち前記省エネ度合いの最もきつい省エネスケジュールを、最初に前記機器制御装置（４０）に送信する、
請求項２に記載のスケジュール提供装置（７１）。
【請求項４】
前記機器制御装置（４０）から要求があった場合、又は、前記所定条件を満たすと判定した場合に、前記送信部（７６ｂ）は、複数の前記省エネスケジュールのうち前記第１省エネスケジュールよりも前記省エネ度合いの緩い省エネスケジュールを、前記第２省エネスケジュールとして前記機器制御装置（４０）に送信する、
請求項１〜３のいずれか１項に記載のスケジュール提供装置（７１）。
【請求項５】
前記所定条件を満たす場合とは、前記機器（１０）の利用者の手動操作によって前記省エネスケジュールに基づく前記機器（１０）の省エネ制御の解除がされた場合、又は、前記省エネ制御を解除するための解除条件が満たされた場合である、
請求項１〜４のいずれか１項に記載のスケジュール提供装置（７１）。
【請求項６】
請求項１〜５のいずれか１項に記載のスケジュール提供装置（７１）と、
前記機器制御装置（４０）と、
を備え、
前記機器制御装置（４０）は、前記省エネスケジュールを設定するスケジュール設定部（４６ｃ）を有し、
前記スケジュール設定部（４６ｃ）は、前記送信部（７６ｂ）によって送信された前記省エネスケジュールが複数ある場合、前記省エネ度合いの最もきついものを設定する、
スケジュール提供システム（１００）。
【請求項７】
前記機器制御装置（４０）は、前記省エネスケジュールに基づいて前記機器（１０）の省エネ制御を行う省エネ制御部（４６ｄ）をさらに有し、
前記機器制御装置（４０）から前記スケジュール提供装置（７１）への要求があった場合、又は、前記スケジュール提供装置（７１）が前記所定条件を満たすと判定した場合で、前記送信部（７６ｂ）が送信する前記省エネスケジュールがない場合、
前記省エネ制御部（４６ｄ）は、前記省エネ制御を中止する、
請求項６に記載のスケジュール提供装置（７１）。
【請求項８】
前記機器制御装置（４０）は、前記機器（１０）の利用者の手動操作によって前記省エネ制御の解除がされた場合、又は、前記省エネ制御を解除するための解除条件が満たされた場合に、前記スケジュール提供装置（７１）に対して前記要求を行う、
請求項７に記載のスケジュール提供システム（１００）。
【発明の詳細な説明】
【技術分野】
【０００１】
本発明は、スケジュール提供装置及びスケジュール提供システムに関する。
【背景技術】
【０００２】
従来、特許文献１（特開２００７−１８３０３５号公報）に開示のように、省エネ制御を行うための省エネスケジュールデータに基づいて、空調機のような機器の省エネ制御を行う制御システムが提案されている。特許文献１に開示の制御システムでは、１日に１パターンの機器の省エネスケジュールが設定されて、当該省エネスケジュールに基づいて機器の省エネ制御が行われている。
【発明の概要】
【発明が解決しようとする課題】
【０００３】
ここで、時として、機器の利用者等（ユーザという）は、省エネよりも快適性を重視することが考えられる。よって、機器の省エネ制御を行うような制御システムでは、所定条件を満たすと自動的に省エネ制御を解除するようなものも提案されている。
【０００４】
しかし、上述の特許文献１（特開２００７−１８３０３５号公報）に開示の制御システムのように、１パターンの機器の省エネスケジュールが設定されるような場合においては、一旦省エネ制御が解除されてしまうと、当該省エネ制御を中止しなければならず、省エネ性の確保においては望ましくない。
【０００５】
そこで、本発明の課題は、極力機器の省エネ性を確保できるスケジュール提供装置及びスケジュール提供システムを提供することにある。
【課題を解決するための手段】
【０００６】
本発明の第１観点に係るスケジュール提供装置は、機器の制御を行う機器制御装置に機器を運転させるための省エネスケジュールを提供するスケジュール提供装置であって、記憶部と、送信部とを備える。記憶部は、省エネ度合いの異なる複数の省エネスケジュールを記憶する。送信部は、省エネスケジュールを機器制御装置に送信する。そして、機器制御装置から要求があった場合、又は、所定条件を満たすと判定した場合に、先に送信した省エネスケジュールである第１省エネスケジュールとは別の省エネスケジュールである第２省エネスケジュールを、機器制御装置に送信する。
【０００７】
本発明の第１観点に係るスケジュール提供装置では、例えば、第１省エネスケジュールよりも省エネ度合いの緩い省エネスケジュールを第２省エネスケジュールとして機器制御装置に送信することで、いきなり機器の省エネ制御の中止を行わずに段階的に省エネ度合いを緩めた機器の運転が可能になる。これにより、極力機器の省エネ性を確保することができる。
【０００８】
本発明の第２観点に係るスケジュール提供装置は、第１観点に係るスケジュール提供装置であって、機器制御装置のリソースを把握するリソース把握部をさらに備える。そして、送信部は、リソース把握部によって把握されたリソースに応じた数の省エネスケジュールを機器制御装置に送信する。
【０００９】
本発明の第２観点に係るスケジュール提供装置では、リソースを把握することで複数の省エネスケジュールを機器制御装置に送信することができる。
【００１０】
本発明の第３観点に係るスケジュール提供装置は、第２観点に係るスケジュール提供装置であって、判定部をさらに備える。判定部は、リソース把握部によって把握されたリソースが複数の省エネスケジュールを保持できる程度にあるか否かを判定する。そして、判定部がリソースが複数の省エネスケジュールを保持できる程度にないと判定する場合、送信部は、複数の省エネスケジュールのうち省エネ度合いの最もきつい省エネスケジュールを、最初に機器制御装置に送信する。
【００１１】
本発明の第３観点に係るスケジュール提供装置では、保持する複数の省エネスケジュールのうち省エネ度合いの最もきつい省エネスケジュールを機器制御装置に送信することで、極力省エネ性を確保した機器の運転を行うことができる。
【００１２】
本発明の第４観点に係るスケジュール提供装置は、第１観点〜第３観点のいずれかに係るスケジュール提供装置であって、機器制御装置から要求があった場合、又は、所定条件を満たすと判定した場合に、送信部は、複数の省エネスケジュールのうち第１省エネスケジュールよりも省エネ度合いの緩い省エネスケジュールを、第２省エネスケジュールとして機器制御装置に送信する。
【００１３】
本発明の第４観点に係るスケジュール提供装置では、第１省エネスケジュールよりも省エネ度合いの緩い省エネスケジュールを第２省エネスケジュールとして送信することで、いきなり省エネ制御の中止を行わずに、段階的に省エネ度合いを緩めた機器の運転を行うことができる。
【００１４】
本発明の第５観点に係るスケジュール提供装置は、第１観点〜第４観点のいずれかに係るスケジュール提供装置であって、所定条件を満たす場合とは、機器の利用者の手動操作によって省エネスケジュールに基づく機器の省エネ制御の解除がされた場合、又は、省エネ制御を解除するための解除条件が満たされた場合である。
【００１５】
通常、上述のような所定条件を満たす場合、機器の省エネ制御は一旦中止されることが多い。
【００１６】
一方、本発明の第５観点に係るスケジュール提供装置では、所定条件を満たす場合に、新たな省エネスケジュールを機器制御装置に送信するので、いきなり省エネ制御の中止を行わずに、段階的に省エネ度合いを緩めた機器の運転を行うことが可能である。
【００１７】
本発明の第６観点に係るスケジュール提供システムは、第１観点〜第５観点のいずれかのスケジュール提供装置と、機器制御装置とを備える。機器制御装置は、省エネスケジュールを設定するスケジュール設定部を有する。スケジュール設定部は、送信部によって送信された省エネスケジュールが複数ある場合、省エネ度合いの最もきついものを設定する。
【００１８】
本発明の第６観点に係るスケジュール提供システムでは、スケジュール設定部が省エネ度合いの最もきついものを設定することで、極力省エネ性を確保した機器の運転を行うことができる。
【００１９】
本発明の第７観点に係るスケジュール提供システムは、第６観点に係るスケジュール提供システムであって、機器制御装置は、省エネスケジュールに基づいて機器の省エネ制御を行う省エネ制御部をさらに有する。そして、機器制御装置からスケジュール提供装置への要求があった場合、又は、スケジュール提供装置が所定条件を満たすと判定した場合で、送信部が送信する省エネスケジュールがない場合、省エネ制御部は、省エネ制御を中止する。
【００２０】
本発明の第７観点に係るスケジュール提供システムでは、送信できる省エネスケジュールがなくなった場合にのみ省エネ制御を中止することで、極力省エネ性を確保した機器の運転を行うことができる。
【００２１】
本発明の第８観点に係るスケジュール提供システムは、第７観点に係るスケジュール提供システムであって、機器制御装置は、機器の利用者の手動操作によって省エネ制御の解除がされた場合、又は、省エネ制御を解除するための解除条件が満たされた場合に、スケジュール提供装置に対して要求を行う。
【００２２】
通常、機器の利用者の手動操作によって省エネ制御の解除がされた場合、又は、省エネ制御を解除するための解除条件が満たされた場合、機器の省エネ制御は一旦中止されることが多い。
【００２３】
一方、本発明の第８観点に係るスケジュール提供システムでは、上述のような場合にスケジュール提供装置に対してコントローラが要求を行うことで、新たな省エネスケジュールの提供を受けることができる。よって、いきなり省エネ制御の中止を行わずに、段階的に省エネ度合いを緩めた機器の運転を行うことが可能である。
【発明の効果】
【００２４】
本発明の第１観点に係るスケジュール提供装置では、極力機器の省エネ性を確保することができる。
【００２５】
本発明の第２観点に係るスケジュール提供装置では、複数の省エネスケジュールを機器制御装置に送信することができる。
【００２６】
本発明の第３観点に係るスケジュール提供装置では、極力省エネ性を確保した機器の運転を行うことができる。
【００２７】
本発明の第４観点に係るスケジュール提供装置では、いきなり省エネ制御の中止を行わずに、段階的に省エネ度合いを緩めた機器の運転を行うことができる。
【００２８】
本発明の第５観点に係るスケジュール提供装置では、いきなり省エネ制御の中止を行わずに、段階的に省エネ度合いを緩めた機器の運転を行うことが可能である。
【００２９】
本発明の第６観点に係るスケジュール提供システム及び本発明の第７観点に係るスケジュール提供システムでは、極力省エネ性を確保した機器の運転を行うことができる。
【００３０】
本発明の第８観点に係るスケジュール提供システムでは、いきなり省エネ制御の中止を行わずに、段階的に省エネ度合いを緩めた機器の運転を行うことが可能である。
【図面の簡単な説明】
【００３１】
【図１】本発明の一実施形態に係るスケジュール提供システムの概略構成図。
【図２】空調機の概略構成図。
【図３】コントローラの概略構成図。
【図４】遠隔監視装置の概略構成図。
【図５】省エネ度合いと空調機の運転能力との関係の一例を示す図。
【図６】ディスプレイ上に表示される解除条件設定用管理画面の一例を示す図。
【図７】遠隔監視装置のスケジュールの提供の処理の流れを示すフローチャート。
【図８】スケジュール提供システムにおけるコントローラの処理の流れを示すフローチャート。
【発明を実施するための形態】
【００３２】
以下、図面を参照しながら、本発明の一実施形態に係るスケジュール提供システム１００について説明する。
【００３３】
（１）スケジュール提供システム１００の全体の概略構成
図１は、本発明の一実施形態に係るスケジュール提供システム１００の概略構成図である。
【００３４】
スケジュール提供システム１００（図１を参照）は、簡単に説明すると、ビル等の建物内の各部屋の空調を行うために当該各部屋に設置される空調機１０（図１を参照、機器に相当）の直接の制御を行うコントローラ４０（図１を参照、機器制御装置に相当）に、コントローラ４０とは別に配置される遠隔監視装置７１（図１を参照、スケジュール提供装置に相当）が空調機１０を運転させるためのスケジュールを提供するシステムである。
【００３５】
スケジュール提供システム１００は、図１に示すように、主として、空調機１０と、コントローラ４０と、遠隔監視装置７１とを有している。空調機１０とコントローラ４０とは、同建物内に配置されている。また、空調機１０とコントローラ４０とは、専用の通信線５を介して接続されており、双方向の通信が可能である。遠隔監視装置は、空調機１０及びコントローラ４０が配置される建物とは別に存在する遠隔監視センター７０内に配置されている。コントローラ４０と遠隔監視装置７１とはインターネット６を介して接続されており、双方向の通信が可能である。
【００３６】
スケジュール提供システム１００では、空調機１０は、コントローラ４０によって直接監視及び制御がされ、遠隔監視センター７０における遠隔監視装置７１によって遠隔から監視及び制御がされている。また、スケジュール提供システム１００では、空調機１０の消費電力が一定量低減されるように、遠隔監視装置７１は、コントローラ４０を経由して、空調機１０の省エネ制御を行っている。具体的には、遠隔監視装置７１は、空調機１０の省エネ制御を行うための運転スケジュールである省エネスケジュールを、コントローラ４０に提供することによって、コントローラ４０を経由して、空調機１０の、省エネスケジュールに基づいた省エネ制御を行っている。省エネスケジュールについては、後に説明する。
【００３７】
以下、スケジュール提供システム１００を主として構成する各部の構成について適宜図面を参照しながら説明する。
【００３８】
（２）各部の構成
（２−１）空調機１０の構成
図２は、空調機１０の概略構成図である。
【００３９】
以下、空調機１０の構成について説明する。なお、本実施形態では、コントローラ４０の制御対象とされる空調機として１台の空調機１０のみを例示として挙げているが、空調機は複数ある。また、本実施形態での空調機１０は、図示はしていないがいわゆるマルチ式の空調機を前提とする。しかし、ペア式の空調機であってもよい。
【００４０】
図１に示すように、空調機１０は、主として、空気調和を行う対象空間である居室の外部に設置される室外機２０と、居室内の天井や壁に設置される複数の室内機３０と、室外機２０と室内機３０とを接続する冷媒配管８とを有している。室外機２０及び室内機３０は、それぞれ、室外側冷媒回路２０ａ、室内側冷媒回路３０ａを有しており、これらが冷媒配管８によって接続されることで１の冷媒回路９が形成されている。室外機２０内には、圧縮機２１や室外熱交換器２２等の室外側冷媒回路２０ａを構成する機器や室外ファン２３が収容されており、室内機３０内には、室内熱交換器３１や膨張弁３２等の室内側冷媒回路３０ａを構成する機器や室内ファン３３が収容されている。
【００４１】
空調機１０の制御部１１（図２を参照）は、空調機１０を構成する室外機２０及び室内機３０がそれぞれ有する制御部（図示せず）の集合体である。室外機２０の制御部と室内機３０の制御部とは、専用の通信線（図示せず）を介して接続されており、互いに制御信号のやり取りが可能である。
【００４２】
空調機１０の制御部１１は、専用の通信線５を介し、後述するコントローラ４０の制御部４６に接続されている。これにより、空調機１０の制御部１１は、コントローラ４０からの制御指令に基づいて、室外機２０内や室内機３０内に配置される各種機器の動作を制御している。ここで、制御指令とは、室内機３０の運転／停止指令、室内機３０の運転モードの変更指令等である。また、各種機器の動作の制御とは、圧縮機２１、室外ファン２３及び室内ファン３３の回転数（周波数）の調整や、膨張弁３２の開度の調整等をいう。
【００４３】
また、図２に示すように、空調機１０の制御部１１には、専用の通信線５を介してリモコン９９が接続されている。
【００４４】
リモコン９９は、室内機３０（空調機１０）の利用者が室内機３０（空調機１０）に対する運転指令の入力を行うための操作インターフェース機器である。これにより、空調機１０の制御部１１は、リモコン９９からの運転指令に基づいても、コントローラ４０からの運転指令に基づく制御と同様の制御を行っている。
【００４５】
また、リモコン９９には、省エネ制御の解除を行うために利用者が操作可能な解除操作部９９ａが設けられている。解除操作部９９ａは、例えば、ボタンであり、このボタンは、ハード的なボタンであっても、ソフト的なボタンであってもよい。空調機１０の利用者や空調機１０が配置されるビル等の所有者や管理者（これらの者は、機器の利用者に相当、以下、適宜総称してユーザという）が、省エネよりも自身の快適性を重視したいと考える場合、リモコン９９の解除操作部９９ａを操作することにより、省エネ制御を解除することができる。
【００４６】
また、空調機１０の制御部１１は、コントローラ４０からの制御指令に応じて、空調機１０の運転実績に関するデータ（以下、運転データという）をコントローラ４０に送信する。空調機１０の運転データには、室外機２０の運転パラメータ（通常モード、能力制限モード等）、室内機３０の運転パラメータ（起動／停止の状態、設定温度、冷房／暖房／除湿等の運転モード等）、室外温度、室内温度、室外湿度、室内湿度、室外機２０内の各種機器の状態値（室外ファン２３の回転数、圧縮機２１の回転数（周波数）、冷媒温度、冷媒圧力等）、室内機３０内の各種機器の状態値（室内ファン３３の回転数、膨張弁３２の開度、冷媒温度、冷媒圧力等）を示すデータが含まれる。
【００４７】
なお、室内温度は、室内機３０内に設置され、室内機３０が設置される居室内の温度を検出する室内温度センサ１２によって検出される。室外温度は、室外機２０内に設置され、室外機２０の近傍の外気温度を検出する室外温度センサ１３によって検出される。冷媒温度は、冷媒回路９の所定の位置に設置される冷媒温度センサ１４によって検出される。冷媒圧力は、冷媒回路９の所定の位置に設置される冷媒圧力センサ１５によって検出される。室内湿度は、室内機３０内に設置され、室内機３０が設置される居室内の湿度を検出する室内湿度センサ１６によって検出される。室外湿度は、室外機２０内に設置され、室外機２０の近傍の外気湿度を検出する室外湿度センサ１７によって検出される。
【００４８】
また、空調機１０の制御部１１は、ユーザがリモコン９９の解除操作部９９ａを操作すると、その入力信号（解除指令）をリモコン９９から受信し、この信号（解除指令）を適当な形に変えてコントローラ４０に送信する。なお、この省エネ制御の解除指令は、直接コントローラ４０に送信されてもよい。この場合、リモコン９９とコントローラ４０とは専用の通信線５で接続されているものとする。
【００４９】
（２−２）コントローラ４０の構成
図３は、コントローラ４０の概略構成図である。
【００５０】
以下、コントローラ４０の構成について図３を用いて説明する。
【００５１】
コントローラ４０は、空調機１０が設置される建物の管理室等に設置され、空調機１０の監視及び制御を行う機器である。具体的には、コントローラ４０は、遠隔監視装置７１から送られてくる各種のデータに基づいて空調機１０を監視及び制御している。
【００５２】
コントローラ４０は、図３に示すように、主として、空調機用通信部４１と、遠隔監視装置用通信部４２と、記憶部４３と、入力部４４と、出力部４５と、制御部４６とを有している。
【００５３】
空調機用通信部４１は、コントローラ４０を専用の通信線５に接続可能にするネットワークインターフェースである。
【００５４】
遠隔監視装置用通信部４２は、コントローラ４０をインターネット６に接続可能にするネットワークインターフェースである。
【００５５】
記憶部４３は、ハードディスク等から構成されており、主として、空調機データベース４３ａと、空調機制御データベース４３ｂと、設定スケジュールデータベース４３ｃと、解除指令データベース４３ｄと、日報データベース４３ｅと、要求データベース４３ｆとを保持している。
【００５６】
（２−２−１）空調機データベース４３ａ
空調機データベース４３ａは、空調機１０の制御部１１から送信される空調機１０の運転データを格納している。
【００５７】
（２−２−２）空調機制御データベース４３ｂ
空調機制御データベース４３ｂは、後述する遠隔監視装置７１の制御部７６から送信される空調機１０を制御するための各種のデータ（以下、適宜空調機制御データという）を格納している。なお、空調機制御データとは、空調機１０の省エネスケジュールのデータ、空調機１０の省エネ制御を解除するための条件を示す解除条件のデータ等である。これらの空調機制御データに関しては、（２−３）遠隔監視装置７１の構成や（４）解除条件の設定についての箇所において適宜説明する。
【００５８】
（２−２−３）設定スケジュールデータベース４３ｃ
設定スケジュールデータベース４３ｃには、空調機制御データベース４３ｂに格納される、遠隔監視装置７１から送られた省エネスケジュールであって、後述するスケジュール設定部４６ｃによって空調機１０の運転スケジュールとして決定（設定）される設定スケジュールが記憶されている。
【００５９】
（２−２−４）解除指令データベース４３ｄ
解除指令データベース４３ｄには、解除指令のデータ（以下、解除指令データという）が保存される。解除指令とは、空調機１０の省エネ制御を解除する旨を示す指令である。解除指令は、ユーザによる解除操作部９９ａの手動操作によって、発生する。
【００６０】
（２−２−５）日報データベース４３ｅ
日報データベース４３ｅには、コントローラ４０から遠隔監視装置７１に対して送信される日報データが記憶されている。
【００６１】
日報データとは、空調機データベース４３ａに記憶される空調機１０の運転データを基に作成される、１日分の空調機１０の運転履歴や運転状態の情報、空調機１０の省エネ制御の中止の情報、解除指令の発生情報、解除条件を満たした旨の情報等をまとめたデータである。ここで、空調機１０の運転履歴や運転状態の情報には、その日における各種センサ１２〜１７の検出値の最大値・最小値、その日における空調機１０の累積稼働時間の情報等が含まれる。
【００６２】
日報データは、所定の時間間隔で（本実施形態では、３０分毎に）、制御部４６によって空調機データベース４３ａ及び解除指令データベース４３ｄにそれぞれ格納されている運転データ及び解除指令データや、解除条件がどのくらいの頻度で満たされたかのデータ、空調機１０の省エネ制御の中止データ等に基づいて加工されていき、１日１回、所定の時間に、遠隔監視装置用通信部４２を介して遠隔監視装置７１に送信されることになる。そして、日報データの遠隔監視装置７１への送信が完了すると、送信済みの日報データは、日報データベース４３ｅから消去される。すなわち、日報データベース４３ｅは、新たな翌日の日報データの作成用に明け渡されるために空き領域となる。
【００６３】
（２−２−６）要求データベース４３ｆ
要求データベース４３ｆには、後述する要求生成部４６ｅによって生成された要求データが記憶されている。
【００６４】
入力部４４及び出力部４５は、タッチパネル式ディスプレイとして一体的に構成されるものである。ディスプレイ上に表示される管理者等の入力を受け付ける機能を有するボタン等に管理者等が触れることで、当該ボタンに対応する制御処理が制御部４６によって実行されることになる。なお、入力部４４及び出力部４５は上述のように一体的に構成されたものではなく、別体であってもよい。例えば、入力部４４は、マウスやキーボードから構成されるものであり、出力部４５は、ディスプレイやスピーカーから構成されるものであってもよい。
【００６５】
制御部４６は、ＣＰＵ、ＲＯＭ、ＲＡＭ等から構成されており、記憶部４３に記憶されているプログラムを読み出して実行することにより、データ収集部４６ａ、データ送信部４６ｂ、スケジュール設定部４６ｃ、省エネ制御部４６ｄ、要求生成部４６ｅ等として機能する。
【００６６】
（２−２−７）データ収集部４６ａ
データ収集部４６ａは、所定の時間間隔で（本実施形態では、１分毎に）、空調機１０の制御部１１から、空調機１０の運転データを収集したり、解除指令データを収集したりする。なお、データ収集部４６ａによって収集された空調機１０の運転データは、上述したように、空調機データベース４３ａに格納される。また、データ収集部４６ａは、所定の時間間隔で（本実施形態では、１分毎に）、遠隔監視装置７１の制御部７６から空調機制御データを収集する。この空調機制御データは、空調機制御データベース４３ｂに格納される。
【００６７】
（２−２−８）データ送信部４６ｂ
データ送信部４６ｂは、空調機用通信部４１を介して、空調機１０の制御部１１に、各種のデータを送信する。また、データ送信部４６ｂは、遠隔監視装置用通信部４２を介して、遠隔監視装置７１の制御部７６に、各種のデータ（具体的には、日報データベース４３ｅに記憶される日報データや要求データベース４３ｆに記憶される要求データ等）を送信する。
【００６８】
（２−２−９）スケジュール設定部４６ｃ
スケジュール設定部４６ｃは、空調機制御データベース４３ｂに格納される、遠隔監視装置７１から送られる省エネスケジュールを、空調機１０を運転させるための設定スケジュールとして決定（設定）する。具体的には、空調機制御データベース４３ｂに格納される省エネスケジュールを、設定スケジュールデータベース４３ｃに格納することによって、設定スケジュールとして決定（設定）している。なお、遠隔監視装置７１から送られる省エネスケジュールが複数ある場合（空調機制御データベース４３ｂに格納される省エネスケジュールが複数ある場合）は、スケジュール設定部４６ｃは、当該複数ある省エネスケジュールのうち省エネ度合いの最もきついものを選択して設定スケジュールとして決定（設定）する。
【００６９】
（２−２−１０）省エネ制御部４６ｄ
省エネ制御部４６ｄは、空調機１０の省エネ制御を行う。具体的には、省エネ制御部４６ｄは、設定スケジュールデータベース４３ｃに格納される設定スケジュールに基づいて、空調機１０の省エネ制御を行う。
【００７０】
また、省エネ制御部４６ｄは、空調機制御データベース４３ｂにデータとして格納される解除条件を満たすと判定する場合、又は、ユーザがリモコン９９を手動操作することによる省エネ制御の解除の旨の入力信号を受信した場合、その旨を後述する要求生成部４６ｅに送信する。
【００７１】
また、省エネ制御部４６ｄは、所定の条件下において、空調機１０の省エネ制御を解除して中止する。これについては、後述する。
【００７２】
（２−２−１１）要求生成部４６ｅ
要求生成部４６ｅは、省エネ制御部４６ｄが空調機制御データベース４３ｂにデータとして格納される解除条件を満たすと判定する場合、又は、省エネ制御部４６ｄがユーザがリモコン９９を手動操作することによる省エネ制御の解除の旨の入力信号を受信した場合に、遠隔監視装置７１の制御部７６に対して、先に送信された省エネスケジュール（第１省エネスケジュールに相当）とは別の省エネスケジュール（第２省エネスケジュールに相当）を送るように要求する要求データを生成する。なお、当該要求データは、要求データベース４３ｆに格納される。
【００７３】
（２−３）遠隔監視装置７１の構成
図４は、遠隔監視装置７１の概略構成図である。
【００７４】
以下、遠隔監視装置７１の構成について図４を用いて説明する。
【００７５】
遠隔監視装置７１は、空調機１０が設置される建物の遠隔に存在する、遠隔監視センター７０（図１を参照）内に存在するサーバコンピュータである。
【００７６】
遠隔監視装置７１は、空調機１０を遠隔から監視及び制御する。具体的には、遠隔監視装置７１は、コントローラ４０を経由して、空調機１０を監視及び制御している。
【００７７】
遠隔監視装置７１の遠隔監視の内容としては、空調機１０が設置される建物等の契約組織に対して行われる各種の遠隔監視サービスが挙げられる。遠隔監視サービスとは、遠隔監視装置７１が、空調機１０の運転データをコントローラ４０経由で取得し、当該空調機１０の運転データを監視しながら、空調機１０を遠隔監視するものである。具体的には、各種の遠隔監視サービスには、空調機１０の異常・故障を検知し、異常等が発生している場合には、サービスパーソンに対処させる異常・故障検知サービス、空調機１０の使用状況に関する報告書を作成する報告書作成サービス、また、その作成した報告書を配信する報告書配信サービス等が含まれる。
【００７８】
遠隔監視装置７１の遠隔制御の内容としては、上述したように、空調機１０の消費電力が一定量低減されるように省エネ制御を行う省エネ制御サービスが含まれる。省エネ制御サービスとは、具体的には、空調機１０の省エネ制御を行うための省エネスケジュールを作成し、当該省エネスケジュールを基に、コントローラ４０に空調機１０を制御させるといった内容のサービスである。これの詳細については、後述する。
【００７９】
遠隔監視装置７１は、図４に示すように、主として、通信部７２と、記憶部７３と、入力部７４と、出力部７５と、制御部７６とを有している。
【００８０】
通信部７２は、遠隔監視装置７１をネットワーク（具体的には、インターネット６）に接続可能にするネットワークインターフェースである。
【００８１】
記憶部７３は、主として、ハードディスク等から構成されており、空調機データベース７３ａと、気象データベース７３ｂと、省エネスケジュールデータベース７３ｃと、解除条件データベース７３ｄとを保持している。
【００８２】
（２−３−１）空調機データベース７３ａ
空調機データベース７３ａには、コントローラ４０の制御部４６から所定の時間間隔で送られてくる空調機１０の運転データや日報データが適当な形式で蓄積される。空調機データベース７３ａに蓄積される空調機１０の運転データや日報データは、遠隔監視装置７１が提供する省エネ制御サービスの他、異常検知サービス、報告書配信サービス等の各種遠隔監視サービスに利用される。
【００８３】
（２−３−２）気象データベース７３ｂ
気象データベース７３ｂには、後述するデータ取得部７６ａによって取得される、当日の最新の気象情報（具体的には、空調機１０が設置される建物が存在する地域の所定地点（観測点）の、所定時間（本実施形態では、１時間）別の予想気温や予想湿度等の気象情報）のデータが格納されている。
【００８４】
（２−３−３）省エネスケジュールデータベース７３ｃ
省エネスケジュールデータベース７３ｃには、後述する省エネスケジュール作成部７６ｄによって作成された省エネスケジュールのデータが格納されている。
【００８５】
（２−３−４）解除条件データベース７３ｄ
解除条件データベース７３ｄには、解除条件のデータが格納されている。解除条件に関しては、後述する（４）解除条件の設定について、の箇所で説明する。
【００８６】
入力部７４は、マウス及びキーボードから構成されており、出力部７５は、ディスプレイ及びスピーカーから構成されている。
【００８７】
制御部７６は、ＣＰＵ、ＲＯＭ、ＲＡＭ等から構成されており、記憶部７３に記憶されているプログラムを読み出して実行することにより、データ取得部７６ａ、データ送信部７６ｂ、解除条件受付部７６ｃ、省エネスケジュール作成部７６ｄ、要求受付部７６ｅ、リソース把握部７６ｆ、リソース判定部７６ｇ、報知生成部７６ｈ、異常検知部７６ｉ、報告書作成部７６ｊ等として機能する。
【００８８】
（２−３−５）データ取得部７６ａ
データ取得部７６ａは、コントローラ４０の制御部４６等から送られてくる各種のデータを取得する。
【００８９】
具体的には、データ取得部７６ａは、コントローラ４０から所定の時間間隔で（本実施形態では、１分毎に）送られてくる空調機１０の運転データや、コントローラ４０から所定の時間間隔で（本実施形態では、１日毎に）送られてくる日報データを取得する。
【００９０】
また、データ取得部７６ａは、所定の時間間隔で、当日の最新の気象情報を、気象情報配信センター９０（図１を参照）内に配置される気象情報配信サーバ９１（図１を参照）から取得する。なお、図１に示すように、気象情報配信サーバ９１の制御部（図示せず）と遠隔監視装置７１の制御部７６とは、インターネット６を介して接続されており、データの送受信が可能になっている。
【００９１】
（２−３−６）データ送信部７６ｂ
データ送信部７６ｂは、コントローラ４０に、記憶部７３内に格納される各種のデータ（具体的には、後述する省エネスケジュール作成部７６ｄによって作成された省エネスケジュールのデータ等）を送信する。
【００９２】
（２−３−７）解除条件受付部７６ｃ
解除条件受付部７６ｃは、管理者等による入力部７４を介した解除条件の入力情報を受け付ける。なお、解除条件受付部７６ｃは、受け付けた解除条件の情報を解除条件データベース７３ｄに格納する。
【００９３】
（２−３−８）省エネスケジュール作成部７６ｄ
図５は、省エネ度合いと空調機１０の運転能力との関係の一例を示す図である。
【００９４】
省エネスケジュール作成部７６ｄは、省エネスケジュールを作成する。省エネスケジュールとは、空調機１０の消費電力が一定量低減されるようなスケジュールであり、例えば、「何時から何時まで、空調機１０の運転能力を上限８０％で運転する」といったような、時間や時刻、空調機１０の運転能力等を考慮したスケジュールである。
【００９５】
具体的には、省エネスケジュール作成部７６ｄは、空調機データベース７３ａに格納される空調機１０の日報データ（具体的には、前日の空調機１０の運転データ）と、気象データベース７３ｂに格納される当日の気象情報のデータとから、当日の空調機１０の省エネスケジュールを作成している。ここで、省エネスケジュール作成部７６ｄは、複数の省エネ度合いの異なる省エネスケジュールを作成している。そして、省エネスケジュール作成部７６ｄは、作成した複数の省エネ度合いの異なる省エネスケジュールを省エネスケジュールデータベース７３ｃに格納している。
【００９６】
なお、省エネ度合いとは、空調機１０の運転能力の上限値の度合いを示すものである。例えば、図５に示すように、省エネ度合いが１の省エネスケジュールの場合は、運転能力の上限値を１００％で運転し、省エネ度合いが２の省エネスケジュールの場合は、運転能力の上限値を８０％で運転し、省エネ度合いが３の省エネスケジュールの場合は、運転能力の上限値を６０％で運転する。すなわち、図５では、省エネ度合いが１から順に大きくなるにつれて、きつい省エネスケジュール、すなわち、省エネ性の高い省エネスケジュールになっている。
【００９７】
なお、本実施形態では、空調機１０の運転能力を低減する運転能力低減制御は、圧縮機２１の周波数及び冷媒温度（目標凝縮温度、目標蒸発温度）を制御することによって行っている。
【００９８】
（２−３−９）要求受付部７６ｅ
要求受付部７６ｅは、コントローラ４０から送られてくる、要求データを受け付ける。
【００９９】
（２−３−１０）リソース把握部７６ｆ
リソース把握部７６ｆは、コントローラ４０のリソースを把握する。
【０１００】
（２−３―１１）リソース判定部７６ｇ（判定部に相当）
リソース判定部７６ｇは、リソース把握部７６ｆによって把握されたリソースが複数の省エネスケジュールを保持できる程度にあるか否かを判定する。
【０１０１】
（２−３−１２）報知生成部７６ｈ
報知生成部７６ｈは、コントローラ４０に送信できる省エネスケジュールがない旨を、コントローラ４０に報知するための報知データを生成する。当該報知データは、記憶部７３の所定のデータベースに記憶される。
【０１０２】
（２−３−１３）異常検知部７６ｉ
異常検知部７６ｉは、空調機データベース７３ａに蓄積される空調機１０の運転データに含まれる、各種センサ１２〜１７のそれぞれの検出値のデータと、予め記憶部７３内に記憶されている所定の閾値（空調機１０の異常が発生していないと考えられる任意の値であり、管理者等によって設定される値）とを比較する等を行って、空調機１０の異常を検知する。異常検知部７６ｉが、各種センサ１２〜１７のそれぞれの検出値が所定の閾値を超える等の異常を検知した場合には、その異常に対処すべく、空調機１０が設置場所へサービスパーソンが派遣されることになる。
【０１０３】
（２−３−１４）報告書作成部７６ｊ
報告書作成部７６ｊは、空調機データベース７３ａに格納される空調機１０の運転データや日報データに基づいて、空調機１０の運転実績に基づく省エネの評価に関する省エネ報告書を作成する。
【０１０４】
（３）空調機１０の省エネ制御について
以下、空調機１０の省エネ制御について簡単に説明する。
【０１０５】
空調機１０の省エネ制御は、遠隔監視装置７１の省エネスケジュール作成部７６ｄによって作成される省エネスケジュールが、遠隔監視装置７１のデータ送信部７６ｂによってコントローラ４０に送信されることで、コントローラ４０が行っている。具体的には、遠隔監視装置７１から送られて空調機制御データベース４３ｂに格納される省エネスケジュールを、スケジュール設定部４６ｃが設定スケジュールとして決定（設定）し、当該設定スケジュールに基づいて、省エネ制御部４６ｄが、空調機１０の省エネ制御を行っている。
【０１０６】
（４）解除条件の設定について
解除条件の設定は、入力部７４に表示される管理画面上に管理者等が解除条件の入力を行い、この入力情報（解除条件の情報）が解除条件受付部７６ｃによって受け付けられて解除条件データベース７３ｄに格納されることにより行われる。
【０１０７】
図６は、解除条件を設定するために、入力部７４に表示される解除条件設定用管理画面の一例を解除条件設定用管理画面８０として示すものである。以下、解除条件設定用管理画面８０について簡単に説明する。
【０１０８】
監視室内機候補の欄８１には、遠隔監視装置７１が遠隔監視及び遠隔制御を行っている室内機３０の候補リストが挙げられている。そして、管理者等によって室内機追加ボタン・室内機削除ボタン８２が操作されることによって、監視室内機の欄８３に解除条件が設定される１又は複数の室内機３０が選択されるようになっている。監視温度範囲の項目の室内温度の欄８４及び省エネ制御の解除／再開条件の項目の解除条件の継続時間に欄８５には、所定の閾値が入力される。
【０１０９】
なお、図６に示す解除条件設定用管理画面８０において、監視室内機の欄に選択された室内機３０が設置される居室内の室内温度（上記の所定の閾値に相当）が、監視温度範囲の項目の室内温度の欄８４に入力される室内温度を、冷房モード時においては上回った状態、暖房モード時においては下回った状態が、省エネ制御の解除／再開条件の項目の解除条件の継続時間に欄８５に入力された解除条件用継続時間（上記の所定の閾値に相当）を継続すると、省エネ制御部４６ｄは解除条件を満たすと判定することになる。よって、解除条件とは、簡単に言うと、室内機３０（空調機１０）が設置される室内温度が、冷房モード時において所定の閾値を超える或いは暖房モード時において所定の閾値未満になった状態が、設定する解除時間を継続するような条件である。ここで、以下の説明においては、監視温度範囲の項目の室内温度の欄８４に入力される室内温度を、解除条件設定用閾値という。
【０１１０】
以上のように、解除条件設定用管理画面８０の所定の欄に所定の事項や値が入力されることで、解除条件の設定が行われている。
【０１１１】
なお、当該解除条件は、解除指令の発生回数、解除条件がどのくらいの頻度で満たされているか等を図示しない学習部が学習することによって、その都度修正されてもよい。
【０１１２】
（５）遠隔監視装置７１のコントローラ４０へのスケジュールの提供の処理の流れについて
図７は、遠隔監視装置７１のスケジュールの提供の処理の流れを示すフローチャートである。以下、遠隔監視装置７１のスケジュールの提供の処理について、図７を用いて説明する。
【０１１３】
まず、ステップＳ１０１では、リソース把握部７６ｆは、コントローラ４０のリソースを把握する。具体的には、リソース把握部７６ｆは、コントローラ４０の名称やバージョンを参照することによって、コントローラ４０のリソースを把握する。このとき、リソース把握部７６ｆが把握したリソースは、一時的に、記憶部７３の所定のデータベースに記憶される。なお、コントローラ４０の名称やバージョンは、遠隔監視装置７１の記憶部７３の所定のデータベースに記憶されているものとする。
【０１１４】
ステップＳ１０２では、リソース判定部７６ｇは、リソース把握部７６ｆによって把握されたリソースが複数の省エネスケジュールを保持できる程度にあるか否かを判定する。複数の省エネスケジュールを保持できる程度にあると判定する場合は、ステップＳ１０３へ移行し、他方、複数の省エネスケジュールを保持できる程度にないと判定する場合は、ステップＳ１０４へ移行する。
【０１１５】
ステップＳ１０３では、データ送信部７６ｂは、省エネスケジュールデータベース７３ｃに格納される省エネスケジュールをコントローラ４０に送信する。このとき、データ送信部７６ｂは、リソース把握部７６ｆによって把握されたコントローラ４０のリソースを参照して、当該リソースに応じた複数の省エネスケジュールをコントローラ４０に送信している。
【０１１６】
ステップＳ１０４では、データ送信部７６ｂは、省エネスケジュールデータベース７３ｃに格納されている複数の省エネスケジュールのうち、最も省エネ度合いのきつい省エネスケジュールをコントローラ４０に送信する。よって、例えば、省エネスケジュールデータベース７３ｃに格納される３つの省エネスケジュールがそれぞれ図５に示すような種類の省エネ度合いをもつ省エネスケジュールである場合、データ送信部７６ｂは、省エネ度合いが３の省エネスケジュールをコントローラ４０に送信する。
【０１１７】
ここで、ステップＳ１０１〜ステップＳ１０４の処理は、コントローラ４０と遠隔監視装置７１とをインターネット６を介して接続した際に行われる処理である。具体的には、空調機１０の省エネ制御が開始される前に（最初に相当）行われる処理である。すなわち、空調機１０の省エネ制御が開始される状態においては、コントローラ４０は予め１又は複数の省エネスケジュールを、空調機制御データベース４６ｂに保持している状態にある。
【０１１８】
ステップＳ１０５では、要求受付部７６ｅが要求データを受け付けたか否かを判定する。受け付けたと判定する場合は、ステップＳ１０６へ移行し、他方、受け付けていないと判定する場合は、ステップＳ１０５の処理を繰り返す。
【０１１９】
ステップＳ１０６では、データ送信部７６ｂは、省エネスケジュールデータベース７３ｃに、先に送信した省エネスケジュールよりも省エネ度合いが１段階緩い省エネスケジュールがあるか否かを判定する。あると判定する場合は、ステップＳ１０７へ移行し、他方、ないと判定する場合は、ステップＳ１０８へ移行する。
【０１２０】
ステップＳ１０７では、データ送信部７６ｂは、先に送信した省エネスケジュールよりも省エネ度合いが１段階緩い省エネスケジュールをコントローラ４０に送信する。この場合、例えば、先に送信した省エネスケジュールが図５に示す省エネ度合いが３の省エネスケジュールである場合、データ送信部７６ｂは、省エネ度合いが２の省エネスケジュールをコントローラ４０に送信することになる。
【０１２１】
ステップＳ１０８では、報知生成部７６ｈは、コントローラ４０に送信できる省エネスケジュールがない旨（具体的には、省エネスケジュールデータベース７３ｃに、先に送信した省エネスケジュールよりも省エネ度合いの緩い省エネスケジュールがない旨）を、コントローラ４０に報知するための報知データを生成して、記憶部７３の所定のデータベースに格納する。当該報知データは、データ送信部７６ｂによってコントローラ４０に送信される。
【０１２２】
（６）スケジュール提供システム１００におけるコントローラ４０の処理について
図８は、スケジュール提供システム１００におけるコントローラ４０の処理の流れを示すフローチャートである。
【０１２３】
なお、ステップＳ２０１からの処理を行う前提として、予め遠隔監視装置７１からコントローラ４０のリソースに応じた数の省エネスケジュールが送信されているものとする。
【０１２４】
まず、ステップＳ２０１では、要求生成部４６ｅは、省エネ制御部４６ｄが空調機制御データベース４３ｂにデータとして格納される解除条件を満たすと判定したか否か、又は、省エネ制御部４６ｄがユーザがリモコン９９を手動操作することによる省エネ制御の解除の旨の入力信号を受信したか否か、を判定する。
【０１２５】
両者のいずれかを満たす場合は、ステップＳ２０２へ移行し、両者のいずれも満たさない場合は、ステップＳ２０１の処理を繰り返す。
【０１２６】
ステップＳ２０２では、要求生成部４６ｅは、上述した要求データを生成する。
【０１２７】
ステップＳ２０３では、データ送信部４６ｂは、要求生成部４６ｅによって生成された要求データを遠隔監視装置７１に送信する。
【０１２８】
ステップＳ２０４では、スケジュール設定部４６ｃは、遠隔監視装置７１から省エネスケジュールを受信したか否かを判定する。具体的には、データ収集部４６ａが遠隔監視装置７１から省エネスケジュールを収集したか否かを判定することによって、省エネスケジュールを受信したか否かを判定している。受信したと判定する場合は、ステップＳ２０７へ移行し、他方、受信していないと判定する場合は、ステップＳ２０５へ移行する。
【０１２９】
ステップＳ２０５では、遠隔監視装置７１から報知データを受信したか否かを判定する。具体的には、データ収集部４６ａが遠隔監視装置７１から報知データを収集したか否かを判定することによって、報知データを受信したか否かを判定している。受信したと判定する場合はステップＳ２０６へ移行し、他方、受信していないと判定する場合は、ステップＳ２０４の処理を繰り返す。
【０１３０】
ステップＳ２０６では、省エネ制御部４６ｄは、空調機１０の省エネ制御を解除して中止する。すなわち、省エネ制御の中止は、省エネ制御部４６ｄが、空調機制御データベース４３ｂにデータとして格納される解除条件を満たすと判定する場合、又は、省エネ制御部４６ｄがユーザがリモコン９９を手動操作することによる省エネ制御の解除の旨の入力信号を受信する場合であって、コントローラ４０が遠隔監視装置７１から報知データを受信した場合に、省エネ制御部４６ｄが行う。
【０１３１】
なお、空調機１０の省エネ制御の再開は、省エネ制御の中止の場合と同様に、ある所定の条件を満たす場合に行われる。具体的には、図６に示す監視室内機の欄８３に選択された室内機３０が設置される居室内の室内温度が、解除条件設定用閾値を、冷房モード時においては下回った状態、暖房モード時においては上回った状態が、省エネ制御の解除／再開条件の項目の再開条件の継続時間の欄に入力された再開条件用継続時間を継続することにより、当該室内機３０の省エネ制御が自動的に再開されることになる。空調機１０の省エネ制御が再開された場合は、また、ステップＳ２０１からの処理が行われる。
【０１３２】
ステップＳ２０７では、スケジュール設定部４６ｃは、データ収集部４６ａが収集した省エネスケジュールが複数あるか否か（すなわち、空調機制御データベース４３ｂに複数の省エネスケジュールが記憶されているか否か）を判定する。複数あると判定する場合は、ステップＳ２０８へ移行し、他方、複数ないと判定する場合は、ステップＳ２０９へ移行する。
【０１３３】
ステップＳ２０８では、スケジュール設定部４６ｃは、データ収集部４６ａが収集した省エネスケジュールのうち、最も省エネ度合いのきつい省エネスケジュールを、設定スケジュールとして選択して決定（設定）する。
【０１３４】
なお、このようにデータ収集部４６ａが収集した省エネスケジュールが複数ある状態で、且つ、まず始めに最も省エネ度合いのきつい省エネスケジュールに基づいて空調機１０の省エネ制御を行う場合に、省エネ制御部４６ｄが解除指令を受信したり、省エネ制御部４６ｄが解除条件を満たすと判定したりするような場合は、スケジュール設定部４６ｃは、設定スケジュールとして決定（設定）した省エネスケジュールよりも省エネ度合いの緩い省エネスケジュールを新たな設定スケジュールとして選択し決定（設定）する。そして、このような動作を繰り返し、スケジュール設定部４６ｃが設定スケジュールとして選択できる省エネスケジュールがなくなった場合（具体的には、前に設定した省エネスケジュールよりも省エネ度合いの緩い省エネスケジュールがなくなった場合）に、スケジュール設定部４６ｃがその旨を要求生成部４６ｅに送信し、ステップＳ２０２以降の処理を行うことになる。
【０１３５】
ステップＳ２０９では、スケジュール設定部４６ｃは、データ収集部４６ａが収集した省エネスケジュールを、設定スケジュールとして決定（設定）する。
【０１３６】
（７）特徴
（７−１）
従来、特許文献１（特開２００７−１８３０３５号公報）に開示の空調機制御システムのように、空調機の省エネスケジュールとして１パターンの省エネスケジュールが設定されるような場合においては、一旦省エネ制御が解除されてしまうと、省エネ制御を中止しなければならず、省エネ性の確保においては望ましくない。
【０１３７】
そこで、本実施形態では、遠隔監視装置７１（スケジュール提供装置に相当）は、空調機１０（機器に相当）の制御を行うコントローラ４０（機器制御装置に相当）に空調機１０を運転させるための省エネスケジュールを提供している。
【０１３８】
具体的には、遠隔監視装置７１は、記憶部７３の省エネスケジュールデータベース７３ｃに省エネ度合いの異なる複数の省エネスケジュールを記憶している。そして、コントローラ４０から要求があった場合（具体的には、コントローラ４０の要求生成部４６ｅによって生成された要求データをコントローラ４０のデータ送信部４６ｂが遠隔監視装置７１に送信し、遠隔監視装置７１の要求受付部７６ｅが当該要求データを受け付けた場合）に、遠隔監視装置７１のデータ送信部７６ｂが、先に送信した省エネスケジュール（第１省エネスケジュールに相当）とは別の省エネスケジュール（第２省エネスケジュールに相当）を、コントローラ４０に送信する。このとき、データ送信部７６ｂは、省エネスケジュールデータベース７３ｃに保持している複数の省エネスケジュールのうち、先に送信した省エネスケジュールよりも省エネ度合いの緩い省エネスケジュールを、コントローラ４０に送信している。
【０１３９】
これにより、いきなり空調機１０の省エネ制御の中止を行わずに、段階的に省エネ度合いを緩めた空調機１０の運転を行うことができる。よって、極力省エネ性を確保した空調機１０の運転を行うことができる。
【０１４０】
（７−２）
本実施形態では、コントローラ４０と遠隔監視装置７１とを接続した際に、遠隔監視装置７１のリソース把握部７６ｆがコントローラ４０のリソースを把握し、リソース把握部６ｆによって把握されたリソースに応じた数の省エネスケジュールを、予めデータ送信部７６ｂがコントローラ４０に送信している。
【０１４１】
具体的には、リソース把握部７６ｆによって把握されたリソースが複数の省エネスケジュールを保持できる程度にあるか否かを判定するリソース判定部７６ｇ（判定部に相当）の判定に基づいて、１又は複数の省エネスケジュールを、予めコントローラ４０に送信している。そして、予め送信された省エネスケジュールに基づいて、コントローラ４０は空調機１０の省エネ制御を行っている。
【０１４２】
本実施形態では、コントローラ４０のリソースが複数の省エネスケジュールを保持できる程度にある場合、コントローラ４０は、省エネ度合いの異なる複数の省エネスケジュールを保持することができる。よって、例えば、ある省エネスケジュールを設定スケジュールとして選択し、当該設定スケジュールに基づいて空調機１０の省エネ制御を行っているときに、ユーザによる空調機１０の省エネ制御を解除する旨の解除指令を受信するような場合や空調機１０の省エネ制御を解除するための解除条件を満たすと判定するような場合があっても、当該設定スケジュールとして選択されている省エネスケジュールよりも省エネ度合いの緩い省エネスケジュールを新たな設定スケジュールとして選択して決定（設定）することが可能になる。すなわち、いきなり省エネ制御の中止を行わずに、省エネ度合いの緩い省エネスケジュールに段階的に設定していくことができるので、極力省エネ性を確保した空調機１０の運転が可能になる。
【０１４３】
また、コントローラ４０のリソースが複数の省エネスケジュールを保持できる程度にある場合、コントローラ４０は、遠隔監視装置７１との省エネスケジュールのデータのやり取りを行わずに空調機１０の省エネスケジュールのデータの管理を行うことができる。
【０１４４】
（７−３）
本実施形態では、コントローラ４０のスケジュール設定部４６ｃは、データ送信部７６ｂによって送信された省エネスケジュールが複数ある場合、省エネ度合いの最もきつい省エネスケジュールを設定スケジュールとして選択して決定（設定）する。
【０１４５】
そして、この状態において、ユーザによる手動操作によって解除指令が発生（具体的には、省エネ制御部４６ｄが当該解除指令を受信）したり、解除条件を満たし（具体的には、省エネ制御部４６ｄが解除条件を満たすと判定し）たりするような場合には、スケジュール設定部４６ｃは、設定スケジュールとして選択した省エネスケジュールよりも省エネ度合いの緩い省エネスケジュールを新たな設定スケジュールとして決定（設定）する。
【０１４６】
なお、スケジュール設定部４６ｃが設定スケジュールとして設定できる省エネスケジュールがなくなった場合には、スケジュール設定部４６ｃがその旨を要求生成部４６ｅに送信し、要求生成部４６ｅが遠隔監視装置７１に対する要求データを送信することになる。
【０１４７】
これにより、省エネ性を極力確保した空調機１０の運転ができる。
【０１４８】
（７−４）
本実施形態では、遠隔監視装置７１の要求受付部７６ｅがコントローラ４０のデータ送信部４６ｂによって送信された要求データを受け付けた場合であって、遠隔監視装置７１のデータ送信部７６ｂがコントローラ４０に送信する省エネスケジュールがない場合、コントローラ４０の省エネ制御部４６ｄは、空調機１０の省エネ制御を中止する。
【０１４９】
ここで、データ送信部７６ｂがコントローラ４０に送信する省エネスケジュールがない場合とは、遠隔監視装置７１の省エネスケジュールデータベース７３ｃに、先に送信した省エネスケジュールよりも省エネ度合いの緩い省エネスケジュールがなくなった場合を意味する。
【０１５０】
本実施形態では、遠隔監視装置７１からコントローラ４０に送信できる省エネスケジュールがなくなった場合にのみ、空調機１０の省エネ制御を中止することで、極力省エネ性を確保して空調機１０の運転を行うことができる。
【０１５１】
（８）変形例
以上、本発明の実施形態について図面に基づいて説明したが、具体的な構成は、上記の実施形態に限られるものではなく、発明の要旨を逸脱しない範囲で変更可能である。
【０１５２】
（８−１）変形例１Ａ
上記実施形態では、コントローラ４０から遠隔監視装置７１への要求があった場合（すなわち、遠隔監視装置７１の要求受付部７６ｅがコントローラ４０の要求生成部４６ｅによって生成された要求データを受け付けた場合）にのみ、遠隔監視装置７１から新たな別の省エネスケジュールが送信されるが、これに限られるものではない。
【０１５３】
例えば、コントローラ４０からの要求を受けずに、遠隔監視装置７１が所定条件を満たすと判定する場合に、新たな別の省エネスケジュールをコントローラ４０に対して送信する処理構成であってもよい。
【０１５４】
この場合、遠隔監視装置７１の制御部７６は、所定条件を満たすか否かを判定する所定条件判定部（図示せず）としてさらに機能する。
【０１５５】
また、所定条件を満たす場合とは、ユーザの解除操作部９９の手動操作によって空調機１０の省エネ制御の解除指令が発生した場合、又は、空調機１０の省エネ制御を解除するための解除条件を満たした場合である。よって、所定条件判定部は、解除指令を受信した場合、又は、解除条件を満たしたと判定する場合に所定条件を満たしたと判定する。
【０１５６】
なお、この場合、図７に示すステップＳ１０５では、要求を受け付けたか否かを判定する処理に代えて、所定条件を満たしたか否かを所定条件判定部が判定する判定処理が行われる。
【０１５７】
（８−２）変形例１Ｂ
上記実施形態では、リソース判定部７６ｇが、コントローラ４０のリソースが複数の省エネスケジュールを保持できる程度にないと判定する場合、データ送信部７６ｂは、省エネ度合いの最もきつい省エネスケジュールを送信すると説明したが、これに限られるものではない。
【０１５８】
例えば、ユーザの快適性や省エネ性の優先度等を把握する把握部（図示せず）が当該優先度等を把握し、当該把握に応じた省エネ度合いを有する省エネスケジュールを送信する旨の制御指令を生成することによって、データ送信部７６ｂが把握部による把握に応じた省エネ度合いを有する省エネスケジュールをコントローラ４０に送信してもよい。
【０１５９】
これにより、ユーザの意向に応じた空調機１０の制御が可能になる。
【０１６０】
（８−３）変形例１Ｃ
上記実施形態では、遠隔監視装置７１がコントローラ４０から要求データを受け付けた場合、遠隔監視装置７１のデータ送信部７６ｂは、先に送信した省エネスケジュールよりも省エネ度合いの１段階緩い省エネスケジュールを送信すると説明したが、これに限られるものではない。
【０１６１】
例えば、遠隔監視装置７１の制御部７６が各種のデータを分析する分析部（図示せず）としてさらに機能する場合、空調機１０の現在の運転データ、ユーザの快適性や省エネ性の優先度のデータ、空調機１０の省エネ制御の解除がユーザによる手動解除であるかを示すデータ等を分析部が分析し、当該分析に応じた省エネ度合いを有する省エネスケジュールを送信する旨の制御指令を生成することによって、データ送信部７６ｂが分析部による分析に応じた省エネ度合いを有する省エネスケジュールをコントローラ４０に送信してもよい。すなわち、先に送信した省エネスケジュールよりも省エネ度合いが１段階緩い省エネスケジュールだけでなく、２段階、３段階といったように１段階以上省エネ度合いの緩い省エネスケジュールをコントローラ４０に送信してもよい。
【０１６２】
これにより、ユーザの意向に応じた空調機１０の制御が可能になる。
【０１６３】
（８−４）変形例１Ｄ
上記実施形態では、コントローラ４０のスケジュール設定部４６ｃは、空調機制御データベース４３ｂに複数の省エネスケジュールが記憶されている場合、最も省エネ度合いのきつい省エネスケジュールと設定スケジュールとして設定すると説明したが、これに限られるものではない。
【０１６４】
例えば、上述したように、スケジュール設定部４６ｃは、空調機１０の現在の運転データ、ユーザの快適性や省エネ性の優先度、空調機１０の省エネ制御の解除がユーザによる手動解除であるか等を分析することによって、当該分析に応じた省エネ度合いの省エネスケジュールを設定スケジュールとして決定（設定）してもよい。
【０１６５】
これにより、ユーザの意向に応じた空調機１０の制御が可能になる。
【０１６６】
（８−５）変形例１Ｅ
上記実施形態では、省エネ制御の解除を行うために利用者が操作可能な解除操作部９９ａは、リモコン９９に設けられていると説明したが、解除操作部９９ａのような機能は、コントローラ４０に設けられていてもよい。
【０１６７】
（８−６）変形例１Ｆ
上記実施形態では、空調機１０の省エネ制御が解除されて次に省エネ制御が再開されるのは、解除条件設定用管理画面を介して入力された所定の条件を満たすことであると説明したが、これに限られるものではなく、例えば、省エネ制御が解除されて所定時間を過ぎることにより省エネ制御が再開されるものであってもよい。
【０１６８】
（８−７）変形例１Ｇ
上記実施形態では、省エネスケジュール作成部７６ｄは、前日の空調機１０の運転データと、気象情報のデータとから、当日の省エネスケジュールを作成していると説明したがこれに限られるものではない。例えば、省エネスケジュール作成部７６ｄは、ユーザが省エネ性を優先しているのか、快適性を優先しているのか等のユーザの優先度を記憶部７３に記憶し、当該優先度を参照して省エネスケジュールを作成してもよい。ユーザの優先度の記憶とは、例えば、フラグの設定等である。これにより、ユーザの意向に応じた制御が可能になる。
【産業上の利用可能性】
【０１６９】
本発明は、他の装置から機器を運転させるためのスケジュールの提供を受けて機器の制御を行う機器制御装置を備える種々のシステムに適用可能である。
【符号の説明】
【０１７０】
１０      空調機（機器）
４０      コントローラ（機器制御装置）
４６ｃ    スケジュール設定部
４６ｄ    省エネ制御部
７１      遠隔監視装置（スケジュール提供装置）
７３      記憶部
７６ｂ    データ送信部（送信部）
７６ｆ    リソース把握部
７６ｇ    リソース判定部（判定部）
１００    スケジュール提供システム
【先行技術文献】
【特許文献】
【０１７１】
【特許文献１】特開２００７−１８３０３５号公報
【図１】
2011242045.tif 000003
【図２】
2011242045.tif 000004
【図３】
2011242045.tif 000005
【図４】
2011242045.tif 000006
【図５】
2011242045.tif 000007
【図６】
2011242045.tif 000008
【図７】
2011242045.tif 000009
【図８】
2011242045.tif 000010